(57)【要約】  第１スプリングと、上記第１スプリングとは異なる物品であって、上記第１スプリングと共にキャリヤの一側に配置されて上記キャリヤを支持する第２スプリングとが含まれて、前記第１スプリングにはコイルの第１引出し線及び外部の第１電源側が連結され、第２スプリングにはコイルの第２引出し線及び外部の第２電源側が連結されて、前記コイルに電源を供給するレンズ駆動モータの弾性部材及びレンズ駆動モータが開示される。これにより、コイルの（＋）及び（−）引出し線を第１及び第２スプリングに各々ハンダ付けにより接続した後、キャリヤを他の部品に組立てることができるので、その作業が便利である。【選択図】図１
2009517715.tif 000002
【特許請求の範囲】
【請求項１】
第１スプリングと、
前記第１スプリングとは異なる物品であって、前記第１スプリングと共にキャリヤの一側に配置されて前記キャリヤを支持する第２スプリングが含まれて、
前記第１スプリングにはコイルの第１引出し線及び外部の第１電源側が連結され、前記第２スプリングにはコイルの第２引出し線及び外部の第２電源側が連結されて、前記コイルに電源を供給することを特徴とするレンズ駆動モータの弾性部材。
【請求項２】
前記第１スプリングは、
半円弧形状で設けられてベースに固定され、前記外部の第１電源側が接続される外側部と、
弧形状で設けられ、前記外側部に各々連結されてカンチレバー形態でなされ、相互所定間隔を有する第１転移部と第２転移部を有する転移部と、
弧形状で設けられて前記キャリヤに固定され、前記第１転移部及び第２転移部と連結され、前記コイルの第１引出し線が接続される内側部が含まれて、
前記第２スプリングは、
半円形状で設けられて前記ベースに固定され、両端部は第１スプリングの外側部の両端部と各々対向し、前記外部の第２電源側の接続される外側部と、
弧形状で設けられ、前記第２スプリングの外側部に連結されてカンチレバー形態をなす転移部と、
弧形状で設けられて前記キャリヤに固定され、前記コイルの第２引出し線が接続され、両端部は前記第１スプリングの内側部の両端部と対向する内側部が含まれることを特徴とする請求項１記載のレンズ駆動モータの弾性部材。
【請求項３】
前記第１及び第２スプリングにおいて、前記コイルの引出し線が連結する部分は、前記キャリヤの外側に突出することを特徴とする請求項１記載のレンズ駆動モータの弾性部材。
【請求項４】
前記第１及び第２スプリングの内側部は、前記キャリヤにインサート射出されることを特徴とする請求項１記載のレンズ駆動モータの弾性部材。
【請求項５】
ベースと、
前記ベースの上側に置かれるハウジングと、
前記ハウジングの内側部に固定されるヨークと、
前記ヨークの内側部に固定されるマグネットと、
前記ヨークの内部で昇降可能に設置されてレンズを昇降させるキャリヤと、
前記マグネットと対向する位置に前記キャリヤに固定されるコイルと、
少なくとも前記キャリヤの一側に一端が締結されて、前記キャリヤに弾性力を提供する第１弾性部材と、
少なくとも前記キャリヤの他側に一端が締結されて、前記キャリヤに弾性力を提供する第２弾性部材が含まれて、
前記第２弾性部材には互いに通電できない第１スプリング及び第２スプリングが含まれ、前記第１スプリング及び第２スプリングには互いに異なる極性である外部の電源及び互いに異なる極性の前記コイルの引出し線が各々接続されることを特徴とするレンズ駆動モータ。
【請求項６】
前記第１スプリングは、
外部の第１電源が接続される外側部と、
前記外側部に各々連結されてカンチレバー形態でなされ、相互所定間隔を有する第１転移部と第２転移部を有する転移部と、
前記第１及び第２転移部に各々連結され、前記コイルの第１引出し線が接続される内側部が含まれて、
前記第２スプリングは、
前記外部の第２電源が接続される外側部と、
前記第２スプリングの外側部に連結されてカンチレバー形態をなす転移部と、
前記第２スプリングの転移部に連結され、前記コイルの第２引出し線が接続される内側部が含まれることを特徴とする請求項５記載のレンズ駆動モータ。
【請求項７】
前記第１及び第２スプリングの内側部は、前記キャリヤにインサート射出されることを特徴とする請求項５記載のレンズ駆動モータ。
【請求項８】
前記キャリヤには、
前記第１弾性部材が締結される上部キャリヤと、前記第２弾性部材が締結される下部キャリヤが含まれて、
前記上部キャリヤと前記下部キャリヤは別途の物品に提供されて追って互いに結合されることを特徴とする請求項５記載のレンズ駆動モータ。
【請求項９】
前記第１弾性部材と前記第２弾性部材は、対称または非対称であることを特徴とする請求項５記載のレンズ駆動モータ。
【請求項１０】
前記ヨークの上側部と前記ハウジングとの間の間隔部及び／または前記ヨークの下側部と前記ベースとの間の間隔部に提供されるスペーサが含まれることを特徴とする請求項５記載のレンズ駆動モータ。
【請求項１１】
前記キャリヤは、上部キャリヤと下部キャリヤに分離され、
前記第１弾性部材は射出成形により前記上部キャリヤに一体形成されて固定されることを特徴とする請求項５記載のレンズ駆動モータ。
【請求項１２】
前記キャリヤは、上部キャリヤと下部キャリヤに分離され、
前記第２弾性部材は、射出成形により前記下部キャリヤに一体形成されて固定されることを特徴とする請求項５記載のレンズ駆動モータ。
【請求項１３】
ベースと、
前記ベースの上面に結合されたハウジングと、
底面が開放されたリング形状で設けられて前記ハウジングの内周面に固定されたヨークと、
前記ヨークの外壁の内周面に固定されたリング形状のマグネットと、
前記ヨークの内壁の内側に昇降可能に設置され、中央部にはレンズが結合されたキャリヤと、
前記マグネットと対向するように前記キャリヤの外周面に固定されたコイルと、
内周面側は前記キャリヤの上側外周面部位に固定され、外周面側は前記ヨークの上面と前記ハウジングとの間の部位に固定されたリング形状の上部弾性部材と、
相互分離された２つのスプリングが対をなして円形で配列され、内周面及び外周面は前記キャリヤ及び前記ベースに各々固定され、各スプリングには互いに異なる極性の電源及び互いに異なる極性の前記コイルの引出し線が各々接続される下部弾性部材と、
を含むことを特徴とするレンズ駆動モータ。
【請求項１４】
ベースと、
前記ベースの上面に結合されたハウジングと、
底面が開放されたリング形状で設けられて前記ハウジングの内周面に固定されたヨークと、
前記ヨークの外壁の内周面に固定されたリング形状のマグネットと、
前記ヨークの内壁の内側に昇降可能に設置され、中央部にはレンズが結合されたキャリヤと、
前記マグネットと対向するように前記キャリヤの外周面に固定されたコイルと、
内周面側は前記キャリヤの上側外周面部位に固定され、外周面側は前記ヨークの上面と前記ハウジングとの間の部位に固定されたリング形状で相互分離された２つのスプリングが対をなす上部弾性部材と、
内周面及び外周面が前記キャリヤ及び前記ベースに各々固定される下部弾性部材とを含み、
前記上部弾性部材の各スプリングには互いに異なる極性の電源及び異なる極性の前記コイルの引出し線が各々接続される構造であることを特徴とするレンズ駆動モータ。
【請求項１５】
第１スプリングと、
前記第１スプリングとは異なる物品であって、前記第１スプリングと共にキャリヤの一側に配置されて前記キャリヤを支持する第２スプリングとが含まれて、
前記第１スプリングにはコイルの第１引出し線及び外部の第１電源側が連結され、前記第２スプリングにはコイルの第２引出し線及び外部の第２電源側が連結されて、前記コイルに電源を供給する弾性部材が、上部キャリヤに適用されることを特徴とするレンズ駆動モータ。
【請求項１６】
第１スプリングと、
前記第１スプリングとは異なる物品であって、前記第１スプリングと共にキャリヤの一側に配置されて前記キャリヤを支持する第２スプリングとが含まれて、
前記第１スプリングにはコイルの第１引出し線及び外部の第１電源側が連結され、前記第２スプリングにはコイルの第２引出し線及び外部の第２電源側が連結されて、前記コイルに電源を供給する弾性部材が、下部キャリヤに適用されることを特徴とするレンズ駆動モータ。
【請求項１７】
第１スプリングと、
前記第１スプリングとは異なる物品であって、前記第１スプリングと共にキャリヤの一側に配置されて前記キャリヤを支持する第２スプリングとが含まれて、
前記第１スプリングにはコイルの第１引出し線及び外部の第１電源側が連結され、前記第２スプリングにはコイルの第２引出し線及び外部の第２電源側が連結されて、前記コイルに電源を供給する弾性部材が、ヨークに適用されることを特徴とするレンズ駆動モータ。
【発明の詳細な説明】
【技術分野】
【０００１】
本発明は、レンズ駆動モータ及びレンズ駆動モータの弾性部材に関するものである。
【背景技術】
【０００２】
デジタル機器の多機能化趨勢に従いカメラなどが内蔵されたデジタル機器が開発されて使われている。最近、デジタル機器に内蔵されたカメラのレンズを所定のレンズ駆動モータを用いて自動で移動可能にして、デジタル機器の使用者がより便利にカメラなどを使用できるようにする製品も紹介されている。
【０００３】
このようなレンズ駆動モータは、デジタル機器の大きさがより小さくなることを勘案して小型で提供されなければならないし、小型のレンズ駆動モータに対しても内部部品、特に電流が印加される電線が安定に連結されなければならないし、光学機構であることを勘案して、レンズの移動量に対する精度の信頼性が良くなければならない。このような目的をある程度達成できるレンズ駆動モータとしては、特開２００４−２８００３１号公報が提示されたところがある。
【０００４】
上記特許文献には、コイルとキャリヤが共に結合され、上記キャリヤにレンズが締結されており、上記コイルの外側にはマグネットが設置されている形態のレンズ駆動モータが提示されている。
【０００５】
このような構造のレンズ駆動モータは、上記コイルに電流が印加される時、コイルとマグネットとの間で発生する電磁気力によってキャリヤ及びレンズが上方に移動する方式で動作する。また、上記キャリヤの停止位置が指示されるようにするため、上記キャリヤにはスプリングの一側が固定されており、上記スプリングの他端はヨークと上下側のキャップに噛まれている。
【０００６】
一方、上記特許文献において、コイルに電流を印加するコイルの引出し線は、上部スプリング及び下部スプリングに各々はんだ付けされているので、上部スプリング及び下部スプリングを通じて外部の電源を供給される。
【０００７】
しかしながら、上記のような従来のレンズ駆動モータは、その構造上、各部品を組立てる工程の途中でコイルの引出し線を上部スプリング及び下部スプリングに各々ハンダ付けしなければならない。ところが、レンズ駆動装置の体積は、略１．２〜１．５ｃｍ３と非常に小さいので、狭い空間の内部でハンダ付けを遂行しなければならないので、その作業性が落ちる短所がある。
【０００８】
また、断面が折り曲げられているヨークの形状により、コイルの引出し線を上部スプリングにハンダ付けする時には、ヨークとキャリヤとの間の隙間にコイルの引出し線を入れて上側に取り出した後、上部スプリングにハンダ付けしなければならないので、その作業がより困難である。
【０００９】
また、コイルの引出し線は、一端は勿論、コイルに連結されて共に動くが、コイル引出し線の他端はヨークなどのように、コイルと別に動く部分に固定されているので、上記引出し線には接触による摩擦、外部の荷重が加えられる。このような問題点は引出し線の劣化を発生させて製品の信頼性が落ちる問題点がある。
【発明の開示】
【発明が解決しようとする課題】
【００１０】
本発明は、上記のような従来技術の問題点を解決するために案出したものであって、コイルの引出し線を弾性部材に容易にハンダ付けでき、組立てを簡便化することができ、コイルの引出し線に対する電源連結の信頼性が向上するレンズ駆動モータ及びレンズ駆動モータの弾性部材を提供するものである。
【００１１】
また、製品の動作上の信頼性及び寿命が延びるレンズ駆動モータ及びレンズ駆動モータの弾性部材を提供するものである。
【課題を解決するための手段】
【００１２】
本発明のレンズ駆動モータは、ベースと、ベースの上側に置かれるハウジングと、ハウジングの内側部に固定されるヨークと、ヨークの内側部に固定されるマグネットと、ヨークの内部で昇降可能に設置されてレンズを昇降させるキャリヤと、マグネットと対向する位置にキャリヤに固定されるコイルと、少なくともキャリヤの一側に一端が締結されて、キャリヤに弾性力を提供する第１弾性部材と、少なくともキャリヤの他側に一端が締結されて、キャリヤに弾性力を提供する第２弾性部材が含まれて、第２弾性部材には互いに通電できない第１スプリング及び第２スプリングが含まれ、第１スプリング及び第２スプリングには互いに異なる極性である外部の電源及び互いに異なる極性のコイルの引出し線が各々接続されることを特徴とする。
【００１３】
本発明のレンズ駆動モータは、ベースと、ベースの上面に結合されたハウジングと、底面が開放されたリング形状で設けられてハウジングの内周面に固定されたヨークと、ヨークの外壁の内周面に固定されたリング形状のマグネットと、ヨークの内壁の内側に昇降可能に設置され、中央部にはレンズが結合されたキャリヤと、マグネットと対向するように前記キャリヤの外周面に固定されたコイルと、内周面側はキャリヤの上側外周面部位に固定され、外周面側はヨークの上面とハウジングとの間の部位に固定されたリング形状の上部弾性部材と、相互分離された２つのスプリングが対をなして円形で配列され、内周面及び外周面はキャリヤ及びベースに各々固定され、各スプリングには互いに異なる極性の電源及び互いに異なる極性のコイルの引出し線が各々接続される下部弾性部材と、を含むことを特徴とする。
【００１４】
本発明のレンズ駆動モータは、ベースと、ベースの上面に結合されたハウジングと、底面が開放されたリング形状で設けられてハウジングの内周面に固定されたヨークと、ヨークの外壁の内周面に固定されたリング形状のマグネットと、ヨークの内壁の内側に昇降可能に設置され、中央部にはレンズが結合されたキャリヤと、マグネットと対向するようにキャリヤの外周面に固定されたコイルと、内周面側はキャリヤの上側外周面部位に固定され、外周面側はヨークの上面とハウジングとの間の部位に固定されたリング形状で相互分離された２つのスプリングが対をなす上部弾性部材と、内周面及び外周面がキャリヤ及びベースに各々固定される下部弾性部材とを含み、上部弾性部材の各スプリングには互いに異なる極性の電源及び異なる極性のコイルの引出し線が各々接続される構造であることを特徴とする。
【００１５】
本発明のレンズ駆動モータは、第１スプリングと、第１スプリングとは異なる物品であって、第１スプリングと共にキャリヤの一側に配置されてキャリヤを支持する第２スプリングとが含まれて、第１スプリングにはコイルの第１引出し線及び外部の第１電源側が連結され、第２スプリングにはコイルの第２引出し線及び外部の第２電源側が連結されて、コイルに電源を供給する弾性部材が、上部キャリヤに適用されることを特徴とする。
【００１６】
本発明のレンズ駆動モータは、第１スプリングと、第１スプリングとは異なる物品であって、第１スプリングと共にキャリヤの一側に配置されてキャリヤを支持する第２スプリングとが含まれて、第１スプリングにはコイルの第１引出し線及び外部の第１電源側が連結され、第２スプリングにはコイルの第２引出し線及び外部の第２電源側が連結されて、コイルに電源を供給する弾性部材が、下部キャリヤに適用されることを特徴とする。
【００１７】
本発明のレンズ駆動モータは、第１スプリングと、第１スプリングとは異なる物品であって、第１スプリングと共にキャリヤの一側に配置されてキャリヤを支持する第２スプリングとが含まれて、第１スプリングにはコイルの第１引出し線及び外部の第１電源側が連結され、第２スプリングにはコイルの第２引出し線及び外部の第２電源側が連結されて、コイルに電源を供給する弾性部材が、ヨークに適用されることを特徴とする。
【００１８】
本発明のレンズ駆動モータの弾性部材は、第１スプリングと、第１スプリングとは異なる物品であって、第１スプリングと共にキャリヤの一側に配置されてキャリヤを支持する第２スプリングが含まれ、第１スプリングにはコイルの第１引出し線及び外部の第１電源側が連結され、第２スプリングにはコイルの第２引出し線及び外部の第２電源側が連結されて、コイルに電源を供給することを特徴とする。
【発明の効果】
【００１９】
本発明によるレンズ駆動モータ及びレンズ駆動モータの弾性部材によると、コイルの（＋）及び（−）引出し線を第１及び第２スプリングに各々ハンダ付けにより接続した後、キャリヤを他の部品に組立てるので、その作業が便利である。また、コイルの引出し線の電源連結が安定的に遂行されるので、製品動作上の信頼性及び寿命が延びる効果が得られる。
【００２０】
また、安定したコイルの支持作用と一側の弾性部材を用いて極性の異なる一対の電源が連結されるので、作業者の作業が易しくなる長所が得られる。
【発明を実施するための最良の形態】
【００２１】
添付図面を参照しつつ本発明の一実施形態によるレンズ駆動モータ及びレンズ駆動モータの弾性部材を詳細に説明する。
【００２２】
図１は本発明の一実施形態によるレンズ駆動モータの分解斜視図であり、図２及び図３は本発明の一実施形態によるレンズ駆動モータの断面図であって、モータの動作を説明する図である。
【００２３】
図１乃至図３を参照すれば、本発明によるレンズ駆動モータ１００は相互結合されて内部に所定空間を形成するベース１１０とハウジング１２０を持って、これで見掛けが形成される。ハウジング１２０は、ベース１１０の上面に結合され、その下面は開放され、上面には後述するキャリヤ（Carrier）１５０が移動するか光の透過のために開口部１２３が形成される。
【００２４】
キャリヤ１５０の外側において、上部及び下部には、弾性を持つリング形状の上部スペーサ（Spacer）１３１及び下部スペーサ１３５が各々配置される。この際、上部スペーサ１３１は、ハウジング１２０の上部の内側面と接触し、下部スペーサ１３５はベース１１０の上面と接触する。上部及び下部スペーサ１３１、１３５は装着時に伸縮されながらハウジング１１０の内部に組立てられる部品の寸法公差及び組立て時に発生する組立て誤差による公差を補償してくれる。
【００２５】
上部スペーサ１３１と下部スペーサ１３５の間の間隔にはヨーク１４０が押入されて固定される。ヨーク１４０はハウジング１２０の内面に装着され、外壁１４０ａ、内壁１４０ｂ及び上板１４０ｃを有し、底面が開放されたリング形状で提供される。このような形状のヨーク１４０によりキャリヤの移動限界が設定されることができる。そして、ヨーク１４０の外壁１４０ａの内周面には、リング形状のマグネット１４５が設けられる。
【００２６】
ヨーク１４０の内壁１４０ｂの内側にはキャリヤ１５０が昇降可能に設けられるが、キャリヤ１５０の内部にはキャリヤ１５０と共に昇降するレンズ２００が設けられる。結局、キャリヤ１５０の昇下降動作はレンズ２００の昇下降動作に続いて撮影時にレンズの位置が調整される。ヨーク１４０の内壁１４０ｂの内側でキャリヤ１５０が容易に位置されるようにするために、キャリヤ１５０は互いに分離される部材として上部キャリヤ１５１と下部キャリヤ１５５から構成されて、両部材１５１、１５５が互いに結合されて設けられる。キャリヤ１５０が設けられる過程は、まず上部キャリヤ１５１の下側部が下部キャリヤ１５５の上側部を通じて下部キャリヤ１５５の内部に挿入される。このような過程が完了すれば、上部キャリヤ１５１の上面はヨーク１４０の上側に位置し、下部キャリヤ１５５の下面はベース１１０に支持される。
【００２７】
下部キャリヤ１５５の外周面には巻線されたコイル１６０が固定される。この際、コイル１６０は、ヨーク１４０の内壁１４０ｂとマグネット１４５との間に位置し、マグネット１４５と所定間隔を有しながらマグネット１４５と対向する。そうして、コイル１６０に電流が供給されれば、図３に示すように、コイル１６０で発生する電場とマグネット１４５で発生する磁場との相互作用によりコイル１６０が上昇することになり、これによって、キャリヤ１５０が上昇しながらレンズ２００を上昇させる。
【００２８】
次に、電磁気力により上昇したキャリヤ１５０は、印加された電磁気力がなくなれば直径が異なるリング形状の多数の弾性部材が相互連結されて形成された上部及び下部弾性部材１７０、１８０により元の位置に戻る。
【００２９】
上記の上部及び下部弾性部材の位置関係及び作用を詳細に説明する。まず、上部弾性部材１７０の内側部は、上部キャリヤ１５１の上側外面部位に射出により一体固定され、上部弾性部材１７０の外側部は上部スペーサ１３１とハウジング１２０の間に固定される。そして、下部弾性部材１８０の内側部は、下部キャリヤ１５５の下側外面部位に射出により一体形成されて固定され、下部弾性部材１８０の外側部は下部スペーサ１３５とベース１１０の間に固定されている。
【００３０】
そうして、図２に図示された最初の状態でコイル１６０に電流が供給されれば、コイル１６０とマグネット１４５との間の電磁気力によりコイル１６０が図３に示すように上昇し、これによって、キャリヤ１５０及びレンズ２００も上昇する。ここで、上部及び下部弾性部材１７０、１８０の内側部はキャリヤ１５０に固定され、外側部は上部スペーサ１３１とハウジング１２０との間と、下部スペーサ１３５とベース１１０との間に各々固定されている。したがって、キャリヤ１５０が上昇すれば、上部及び下部弾性部材１７０、１８０の内側部もキャリヤ１５０と同一に上昇する。
【００３１】
その後、コイル１６０に供給される電流が遮断されれば、上部及び下部弾性部材１７０、１８０の弾性力によりキャリヤ１５０が図２に提示される最初の状態に戻る。
【００３２】
コイル１６０は、スプリングを通じて外部の電源を供給されるが、以下では、電源の印加作用を詳細に説明する。
【００３３】
本実施形態によるモータ１００の下部弾性部材１８０は、相互分離形成されて共にリング形状をなす第１スプリング１８１と第２スプリング１８５からなる。そして、第１スプリング１８１にはコイル１６０の（＋）引出し線１６１と外部の（＋）電源側が接続され、第２スプリング１８５にはコイル１６０の（−）引出し線１６３と外部の（−）電源側が接続される。
【００３４】
本実施形態による下部弾性部材を図４を参照しつつ詳細に説明する。
【００３５】
図４は、本発明の一実施形態による下部弾性部材の平面図であって、図４を参照すれば、第１スプリング１８１は、半円形状の外側部１８１ａと、弧形状の第１及び第２転移部１８１ｂ、１８１ｃを有する転移部及び弧形状の内側部１８１ｄを有する。
【００３６】
詳しくは、外側部１８１ａは、半円形状で形成されて下部スペーサ１３５とベース１１０との間に挿入されて固定される。そして、外側部１８１ａの一側には上記外部の（＋）電源側が接続される。
【００３７】
また、第１転移部１８１ｂは、外側部１８１ａの内部と所定間隔を有し、コイル１６０とマグネット１４５との間に位置する。そして、第１転移部１８１ｂは、外側部１８１ａの実質的な一端部で一体で延びた形態であって、外側部１８１ａの略中央部まで延びる。即ち、第１転移部１８１ｂはカンチレバー形態をなす。
【００３８】
第２転移部１８１ｃも外側部１８１ａの内部と所定間隔を有し、コイル１６０とマグネット１４５との間に位置する。そして、第２転移部１８１ｃは、第１転移部１８１ｂの他端部と所定距離離隔した状態で、外側部１８１ａの略中央部に一体で延びて、外側部１８１ａの他端部の外側まで延びる。即ち、第２転移部１８１ｃもカンチレバー形態をなす。上記転移部はスプリングの移動時に変形を弾性的に支持する部分である。
【００３９】
内側部１８１ｄは、第１及び第２転移部１８１ｂ、１８１ｃの内部と所定間隔を有し、転移部１８１ｂ、１８１ｃと一体形成され、キャリヤ１５０の下側部に固定される。内側部１８１ｄの一端部は外側部１８１ａの一端部と対応するように位置してコイル１６０の（＋）引出し線１６１が接続される。そして、内側部１８１ｄの中央部位の一側及び他端部には、第１転移部１８１ｂの延びた端部及び第２転移部１８１ｃの延びた端部と一体で連結される。
【００４０】
一方、第２スプリング１８５は、半円形状の外側部１８５ａ、弧形状の転移部１８５ｂ及び弧形状の内側部１８５ｃを有する。
【００４１】
詳しくは、第２スプリング１８５の外側部１８５ａは半円形状で形成されて下部スペーサ１３５とベース１１０との間に挿入されて固定される。第２スプリング１８５の外側部１８５ａの一端部及び他端部は、第１スプリング１８１の外側部１８１ａの端部と所定距離離隔して相互対向するが、第２スプリング１８５の外側部１８５ａと第１スプリング１８１の外側部１８１ａがなす全体形状はリング形状である。ここで、第２スプリング１８５の外側部１８５ａの一端部には上記外部の（−）電源側が接続され、他端部側の内面は第１スプリング１８１の第２転移部１８１ｃの延びた端部側と所定間隔を有する。
【００４２】
第２スプリング１８５の転移部１８５ｂは、第２スプリング１８５の外側部１８５ａの内部と所定間隔を有し、コイル１６０とマグネット１４５との間に位置する。そして、第２スプリング１８５の転移部１８５ｂの一端部は、第２スプリング１８５の外側部１８５ａの一端部側に位置し、他端部は第２スプリング１８５の外側部１８５ａの中央部の一側の内部に一体で連結される。即ち、第２スプリング１８５の転移部１８５ｂはカンチレバー形態をなす。
【００４３】
第２スプリング１８５の内側部１８５ｃは、第２スプリング１８５の転移部１８５ｂの内面と所定間隔を有し、キャリヤ１５０の下側部位に固定される。そして、第２スプリング１８５の内側部１８５ｃの一端部は、第２スプリング１８５の転移部１８５ｂの一端部の内面に一体で連結されて、第１スプリング１８１の内側部１８１ｄの一端部と対向し、第２スプリング１８５の内側部１８５ｃの他端部は、第２スプリング１８５の転移部１８５ｂの他端部側に位置して第１スプリング１８１の内側部１８１ｄの他端部と対向する。第２スプリング１８５の内側面１８５ｃの一端部にはコイル１６０の（−）引出し線１６３が接続される。
【００４４】
前述したように、第１スプリング１８１と第２スプリング１８５は相互分離されて形成され、第１及び第２弾性部材１８１、１８５の外側部１８１ａ、１８５ａに外部の（＋）及び（−）電源側の各々接続され、第１及び第２スプリング１８１、１８５の内側面１８１ｄ、１８５ｃにコイル１６０の（＋）及び（−）引出し線１６１、１６３が各々接続される。したがって、コイル１６０は、単一の下部弾性部材１８０を通じて外部の電源を全て供給されるものである。スプリング１８１、１８５は電源が供給されるようにするために通電される材質が使われることは勿論である。
【００４５】
また、図１を参照すれば、キャリヤ１５０は、相互結合される上部キャリヤ１５１と下部キャリヤ１５５を有し、下部キャリヤ１５５にコイル１６０及び下部弾性部材１８０が固定される。したがって、下部キャリヤ１５５にコイル１６０を固定した状態でコイル１６０の（＋）及び（−）引出し線１６１、１６３を下部弾性部材１８０にハンダ付けにより接続した後、下部キャリヤ１５５をベース１１０とハウジング１２０との間に組立てることができる。したがって、コイル１６０の（＋）及び（−）引出し線１６１、１６３を下部弾性部材１８０に容易にハンダ付けすることができるので、モータの組立てと全体的な製作工程が簡便になる。
【００４６】
また、コイルの引出し線の連結端はスプリングと共に昇下降するので、コイルと引出し線の相対的な移動によりハンダ付け部位にストレスが加えられないので、製品の信頼性が向上する長所も期待される。
【００４７】
一方、第１及び第２スプリング１８１、１８５は、インサート射出により下部キャリヤ１５５に一体で固定されることができる。言い換えると、導電性の金属板が切断／加工される過程を通じてスプリング形状で製作された後、下部キャリヤ１５５の製作用金型の内部にスプリング１８１、１８５がインサートされた状態で、下部キャリヤ１５５が射出される過程中に下部キャリヤ１５５に一体で形成されるものである。この際、第１及び第２スプリング１８１、１８５の内側面１８１ｄ、１８５ｃの一端部の一側は、キャリヤ１５０の外側に突出するが、これは突出部１８１ｅ、１８５ｅにコイル１６０の（＋）及び（−）引出し線１６１、１６３をハンダ付けにより接続するためである。
【００４８】
このように、スプリング１８１、１８５は、インサート射出によりキャリヤ１５５に一体で固定できるので、スプリングの固定作業がより便利になり、製品動作の信頼性が向上する長所が得られる。
（他の実施形態）
【００４９】
本発明の上部弾性部材１７０は、下部弾性部材と同一な形状及び構造で締結されることができる。仮に、上部弾性部材が下部弾性部材と同一な形状及び構造で提供されれば、上部及び下部弾性部材は、互いに対称で設けられることができる。一方、上部弾性部材と下部弾性部材が同一でない、ある形状であれば、非対称で設けられることもできる。
【００５０】
また、上記上部弾性部材が実施形態で既に説明されたような下部弾性部材と同一に提供されることもできる。この場合、上記下部弾性部材でない上記上部弾性部材に外部電源及びコイルが連結できることは当然である。この場合にも、弾性部材による安定した支持作用及び一方向（上部弾性部材を用いて）にコイルを挿入して弾性部材に連結するため、コイルの装着作業の便利性が得られることは当然である。
【００５１】
また、上記上部弾性部材は、前述の実施形態で説明されたような同一な形状で上記ヨークに提供されることができる。この場合、上記下部弾性部材でない上記上部弾性部材に外部電源及びコイルが連結できることは当然である。この場合にも、弾性部材による安定した支持作用及び一方向（上部弾性部材を用いて）にコイルを挿入して弾性部材に連結するため、コイルの装着作業の便利性が得られることは当然である。
【００５２】
また、マグネット１４５の着磁方向に従いスプリングに対するコイル１６０の（＋）及び（−）方向は変更できることも勿論であり、このようになるとしても本発明の思想は同一であることは勿論である。
【００５３】
また、場合よって、上記下部弾性部材を提供するスプリング中のどれか一つまたは全部は、ベースにインサート射出されず、追って他の方法により結合できるはずである。
【００５４】
また、上記上部弾性部材の外側固定端は、ハウジングと上部スペーサとの間に固定されることと説明されているが、これに限るのでなく、ハウジングに固定されることもでき、ヨークに締結されることもできる等、レンズ駆動モータの動かない部分にはどこにも固定されることができる。勿論、上記下部弾性部材の外側固定端も下部スペーサとベースとの間に固定されることと説明されているが、それに限るのではなく、ベースまたはヨークなどのようなレンズ駆動モータの動かない部分にはどこにも固定されることができ、これもまた、本発明思想の範囲内に含まれる。
【００５５】
本発明には、スプリングの形状が円弧であるものと説明しているが、これは例示的なものであって、実質的にキャリヤを安定するように支持することができる如何なる形状であってもよい。
【００５６】
以上、本発明の一実施形態により本発明を説明したが、本発明が属する技術分野で通常の知識を有する者が本発明の技術的思想を逸脱しない範囲内で変更及び変形可能であることは当然である。また、本発明の説明に提示される多様な実施形態は、一実施形態に属する構成要素が他の実施形態の構成要素に適切に変更されて適用されることができ、この場合には新しく提示される実施形態も本願発明の思想に含まれる。
【００５７】
本発明によれば、コイルの引出し線を弾性部材に容易にハンダ付けすることができるので、組立てを簡便にすることができ、コイルの引出し線に対する電源連結の信頼性が向上する。そして、製品の動作上の信頼性及び寿命が延びる長所がある。
【００５８】
また、スプリングとキャリヤとの間の締結過程を便利で、かつ堅固にすることができるので、製品の信頼性が向上し、作業上の便宜がより増進する長所がある。
【図面の簡単な説明】
【００５９】
【図１】本発明の一実施形態によるレンズ駆動モータの分解斜視図である。
【図２】本発明の一実施形態によるレンズ駆動モータの断面図であって、外部電源が印加される前の状態の図である。
【図３】本発明の一実施形態によるレンズ駆動モータの断面図であって、外部電源が印加されてレンズが上昇した状態の図である。
【図４】本発明の一実施形態による下部弾性部材の平面図である。
【図１】
2009517715.tif 000003
【図２】
2009517715.tif 000004
【図３】
2009517715.tif 000005
【図４】
2009517715.tif 000006
【国際調査報告】
2009517715.tif 000007
2009517715.tif 000008